(57)【要約】【課題】初期の手首の角度、引いている間の手首の角度を自由に変えることができるラックベルトを提供すること。【解決手段】ラック歯１１５が形成されたベルト主体部１１ａとベルト主体部１１ａの基端側に形成されたベルト側連結部１１ｂとを有するベルト１１と、ベルト側連結部１１ｂに係合する操作部側連結部１２ａを有しベルト１１に当該操作部側連結部１２ａを介して連結された操作部１２と、を備え、操作部側連結部１２ａは、ベルト主体部１１ａの長さ方向に延在する軸線を中心に回転自在となるようにベルト側連結部１１ｂに係合している。【選択図】図４
2017056065.tif 000002
【特許請求の範囲】
【請求項１】
ラック歯が形成されたベルト主体部と当該ベルト主体部の基端側に形成されたベルト側連結部とを有するベルトと、
前記ベルト側連結部に係合する操作部側連結部を有し前記ベルトに当該操作部側連結部を介して連結された操作部と、
を備え、
前記操作部側連結部は、前記ベルト主体部の長さ方向に延在する軸線を中心に回転自在となるように前記ベルト側連結部に係合していることを特徴とするラックベルト。
【請求項２】
前記軸線は、前記ベルト主体部の中心線に合致していることを特徴とする請求項１に記載のラックベルト。
【請求項３】
前記ベルト側連結部は、前記ベルト主体部の基端部に一端側が結合され当該ベルト主体部の前記ラック歯が形成された面に直交する厚さよりも大きい径を有するネック部と、前記ネック部の他端側に結合され前記ネック部よりも前記ベルト主体部の長さ方向に直交する断面が大きいヘッド部と、を備え、
前記操作部側連結部には、前記ベルト主体部及び前記ネック部が挿通可能に形成された挿通孔が形成され、
前記挿通孔の内側に前記ネック部が配置され、前記ヘッド部は、前記ベルト主体部と前記操作部とが互いに離間する方向に力が加わった際に、前記ベルト主体部に対する前記操作部の抜けを防止するように、前記挿通孔の縁に当接することを特徴とする請求項１又は請求項２に記載のラックベルト。
【請求項４】
前記操作部は、前記軸線に対して直交する方向に延在し同時に３本の指が掛けられる程度の延在方向長さを有する指掛け部と、前記指掛け部の延在方向に所定距離隔てて設けられ前記３本の指のうちで真ん中の指が掛けられる部分を仕切り且つ前記指掛け部と前記操作部側連結部とを繋ぐ２つのビームと、を備えていることを特徴とする請求項１から請求項３のいずれか一項に記載のラックベルト。
【請求項５】
前記ラックベルトは合成樹脂製であることを特徴とする請求項１から請求項４のいずれか一項に記載のラックベルト。
【発明の詳細な説明】
【技術分野】
【０００１】
本発明は、ラックベルトに関するものである。
【背景技術】
【０００２】
従来、コマ玩具用発射装置においては、コマ玩具に付勢力を付与するため、例えばラックベルトが使用されている。
このラックベルトは、例えば、ラック歯が形成された平板状のベルト主体部を有するベルトを備え、このベルトの基端部に操作部が固定して設けられている（例えば、特許文献１参照）。
【先行技術文献】
【特許文献】
【０００３】
【特許文献１】特開２００７−１１１１４４公報
【発明の概要】
【発明が解決しようとする課題】
【０００４】
ところが、このようなラックベルトにあっては次のような問題がある。
すなわち、コマ玩具用発射装置にあっては、片手で発射装置本体を持ち地面近くに発射装置本体を位置させた状態でラックベルトを操作する必要がある。この場合、発射装置本体のコマ玩具装着面を地面に向け且つ地面に対して平行にすることが望まれる。
そして、ベルトの基端部に対して操作部が固定して設けられているラックベルトでは、操作部に合わせて手首の角度を調整し、しかも、その角度を維持したままでラックベルトを引くことが必要となる。
【０００５】
しかしながら、コマ玩具をテーブル上で回したり、地面に設置した専用のスタジアムで回したりする場合もあり、使用状況によっては、手首の角度を固定したままで操作することに苦痛を感じる場合もある。すなわち、初期の手首の角度を手の甲が横を向くようにしてラックベルトを操作する方が楽な人もいれば、手の甲が上を向くようにしてラックベルトを操作する方が楽な人もいる。さらには、あるラックベルトを自分の方に引き寄せる場合に、手首の角度を固定させないで、途中で手首を捻って手首の角度を変更したりする方が楽という人も存在する。
【０００６】
本発明は、かかる問題点に鑑みなされたもので、初期の手首の角度、引いている間の手首の角度を自由に変えることができるラックベルトを提供することを目的としている。
【課題を解決するための手段】
【０００７】
請求項１に記載のラックベルトは、
ラック歯が形成されたベルト主体部と当該ベルト主体部の基端側に形成されたベルト側連結部とを有するベルトと、
前記ベルト側連結部に係合する操作部側連結部を有し前記ベルトに当該操作部側連結部を介して連結された操作部と、
を備え、
前記操作部側連結部は、前記ベルト主体部の長さ方向に延在する軸線を中心に回転自在となるように前記ベルト側連結部に係合していることを特徴とする。
【０００８】
請求項２に記載のラックベルトは、請求項１に記載のラックベルトであって、前記軸線は、前記ベルト主体部の中心線に合致していることを特徴とする。
【０００９】
請求項３に記載のラックベルトは、請求項１又は請求項２に記載のラックベルトであって、
前記ベルトと前記操作部とはそれぞれ一体化され、前記ベルトは可撓性を有し、
前記ベルト側連結部は、前記ベルト主体部の基端部に一端側が結合され当該ベルト主体部の前記ラック歯が形成された面に直交する厚さよりも大きい径を有するネック部と、前記ネック部の他端側に結合され前記ネック部よりも前記ベルト主体部の長さ方向に直交する断面が大きいヘッド部と、を備え、
前記操作部側連結部には、前記ベルト主体部及び前記ネック部が挿通可能に形成された挿通孔が形成され、
前記挿通孔の内側に前記ネック部が配置され、前記ヘッド部は、前記ベルト主体部と前記操作部とが互いに離間する方向に力が加わった際に、前記ベルト主体部に対する前記操作部の抜けを防止するように、前記挿通孔の縁に当接することを特徴とする。
【００１０】
請求項４に記載のラックベルトは、請求項１から請求項３のいずれか一項に記載のラックベルトであって、前記操作部は、前記軸線に対して直交する方向に延在し同時に３本の指が掛けられる程度の延在方向長さを有する指掛け部と、前記指掛け部の延在方向に所定距離隔てて設けられ前記３本の指のうちで真ん中の指が掛けられる部分を仕切り且つ前記指掛け部と前記操作部側連結部とを繋ぐ２つのビームと、を備えていることを特徴とする。
【００１１】
請求項５に記載のラックベルトは、請求項１から請求項４のいずれか一項に記載のラックベルトであって、前記ラックベルトは合成樹脂製であることを特徴とする。
【発明の効果】
【００１２】
請求項１の発明によれば、操作部側連結部は、ベルト主体部の長さ方向に延在する軸線を中心に回転自在となるようにベルト側連結部に係合しているので、引く前や引いている間に手首の角度を自由に変更することができる。
【００１３】
請求項２の発明によれば、回転中心となる軸線は、ベルト主体部の中心線に合致しているので、下腕部を回転させることなく手首だけの回転で済むので、その操作が簡単に行えることになる。
【００１４】
請求項３の発明によれば、一体化され可撓性を有するベルトを同じく一体化された前記操作部の挿通孔に先端側から挿通させることによって、簡単に、ベルトと操作部とを連結することができる。
【００１５】
請求項４の発明によれば、３本の指で操作できるので、操作が比較的簡単に行えることになる。
【００１６】
請求項５の発明によれば、樹脂成形によってベルト及び操作部を作ることができるので、安価なラックベルトを実現することができる。
【図面の簡単な説明】
【００１７】
【図１】実施形態のラックベルトを持つ発射装置及びコマ玩具を示した斜視図である。
【図２】図１の発射装置を下方から見た斜視図である。
【図３】図１の発射装置の内部構造の一部を示した斜視図である。
【図４】図１のラックベルトを示した図である。
【図５】図１のラックベルトの連結部を示した断面図である。
【図６】図１のラックベルトの操作部側連結部を示した図である。
【図７】ラックベルトの操作の仕方の一例を示した斜視図である。
【図８】ラックベルトの操作の仕方の一例を示した斜視図である。
【発明を実施するための形態】
【００１８】
以下、図面に基づいて、本発明を実施するための形態を具体的に説明する。
【００１９】
（全体構成）
図１はラックベルト１０を含むコマ玩具セット１を示している。
ここでラックベルト１０は、ベルト１１と操作部１２とを備えている。操作部１２は、ベルト１１の長手方向に延在する軸線に対して回転自在に構成されている。
そして、このラックベルト１０を、コマ玩具３０を装着した発射装置本体４０の開口４５から差し込み、手前側に引くことにより、コマ玩具３０に回転付勢力が付与され、コマ玩具３０が発射装置本体４０から発射されるように構成されている。
【００２０】
（細部）
１．コマ玩具３０について
コマ玩具３０は軸部３１と胴部３２とを備えている。コマ玩具３０の胴部３２の上面は僅かに上方に向けて膨らんではいるがほぼフラットに形成されている。このコマ玩具３０の胴部３２の上面には、中心軸を挟んで対向する部分に当該中心軸に向けて凹となる一対の弧状溝３２ａ，３２ａが形成されている。また、各弧状溝３２ａの一端側には舌片状の突起３２ｂが設けられている。
【００２１】
２．発射装置本体４０について
発射装置本体４０は概ね箱形に形成されている。
図２に示すように、この発射装置本体４０の底面側には回転可能な円板４１が設けられている。この円板４１には、上記コマ玩具３０の一対の弧状溝３２ａ，３２ａに対応する位置にフォーク４２，４２が形成されている。
各フォーク４２の一方の側縁４２ａは円板に対してほぼ垂直の延び、他方の側縁４２ｂは円板に対して傾斜している。
また、発射装置本体４０には、上面に扇形の窓４３が２つ形成されている。そして、この２つの窓４３，４３からは後述の円板４４の白黒模様４４ａを見通せるようになっている。この円板４４の白黒模様４４ａは円板４４の回転速度を測るために使用されるものであるが、その詳しい説明は省略する。
また、図１に示すように、発射装置本体４０の前面にはラックベルト１０を導入するための矩形の開口４５が形成されている。この開口４５の縁には突起４５ａが形成されている。一方、図２に示すように、後面にはラックベルト１０を導出するための矩形の開口４６が形成されている。
【００２２】
図３に示すように、発射装置本体４０の内部には、ラックベルト１０のラック歯１１５と噛合可能な歯車４６が設けられている。この歯車４６の上には円板４４が設置されている。また、歯車４６の下には円板４１が設けられている。
一方、円板４４の外周には円周方向に所定間隔で歯４４ｂが形成され、円板４４は爪車を構成している。この円板４４の隣には爪部材４７が設けられている。爪部材４７は軸４７ｃを中心に回動する。爪部材４７と爪車とは回転停止機構を構成している。この爪部材４７には、ラックベルト１０の挿入の際にラックベルト１０に押圧されて爪部材４７の爪４７ａを円板４４から離間させて円板４４の回転を許容する被押圧部４７ｂが形成されている。この爪部材４７は図示しないトーションスプリングによって円板４４の方向に付勢されている。
【００２３】
３．ラックベルト１０について
図４に示すように、ラックベルト１０は大別してベルト１１と操作部１２とから構成されている。このベルト１１及び操作部１２は、例えばＰＡ（ポリアミド樹脂）、ＡＢＳ（アクリロニトリル（Ａ）・ブタジエン（Ｂ）・スチレン（Ｓ）の３成分からなる熱可塑性樹脂）、ＰＯＭ（ポリオキシメチレン樹脂）によってそれぞれ一体成形されている。ただし、材料はこれに限定されないことは言うまでもない。
このうちベルト１１は平板状のベルト主体部１１ａとベルト主体部１１ａの基端側に形成されたベルト側連結部１１ｂとを有している（図５参照）。
ベルト主体部１１ａには上記歯車４６に噛合可能なラック歯１１５が形成されている。また、このベルト主体部１１ａには、長さ方向に沿って上記突起４５ａが係合するガイド溝１１６が形成されている。
このベルト側連結部１１ｂは、ベルト主体部１１ａの基端部に一端側が結合されたネック部１１０を有している。このネック部１１０はベルト主体部１１ａの厚さよりも大きい径を有している。そして、このネック部１１０は円柱状に形成され、その軸線は、ベルト主体部１１ａの中心線に合致している。
また、ベルト側連結部１１ｂは、ネック部１１０の他端側に結合された断面円状のヘッド部１１１を有している。このヘッド部１１１は、ネック部１１０よりもベルト主体部１１ａの長さ方向に直交する断面が大きく形成されている。
【００２４】
操作部１２は、ベルト側連結部１１ｂに係合する操作部側連結部１２ａを有している。この操作部側連結部１２ａは、ベルト主体部１１ａの長さ方向に延在する軸線を中心に回転自在となるようにベルト側連結部１１ｂに係合している。
すなわち、操作部側連結部１２ａには、図６に示すように、ベルト主体部１１ａ及びネック部１１０が挿通可能に形成された挿通孔１２ｂが形成されている。操作部１２は、図４に示すように、ベルト１１の軸線に対して直交する方向に延在し同時に３本の指が掛けられる程度の延在方向長さを有する指掛け部１２０と、指掛け部１２０の延在方向に所定距離隔てて設けられ３本の指のうちで真ん中の指が掛けられる部分を仕切り且つ指掛け部１２０と操作部側連結部１２ａとを繋ぐ２つのビーム（桁）１２１，１２１と、を備えている。
【００２５】
そして、図５に示すように、挿通孔１２ｂの内側にネック部１１０が配置され、ヘッド部１１１は、ベルト主体部１１ａと操作部１２とが互いに離間する方向に力が加わった際に、ベルト主体部１１ａに対する操作部１２の抜けを防止するように、挿通孔１２ｂの縁に当接するようになっている。
【００２６】
なお、図５に示すように、操作部側連結部１２ａの指掛け部１２０側には、上記挿通孔１２ｂに連通する円形の座繰り穴１２ｃが形成され、この座繰り穴１２ｃにはヘッド部１１１が着座するようになっている。また、ベルト側連結部１１ｂには、座繰り穴１２ｃにヘッド部１１１が着座した際に操作部側連結部１２ａの指掛け部１２０側とは反対側から露出する位置に、ベルト主体部１１ａの幅方向両側に張り出す矢羽根状のストッパ１１３が形成されている。このストッパ１１３の幅はベルト主体部１１ａの幅よりも大きく且つ挿通孔１２ｂの幅と同じ程度で、かろうじて挿通孔１２ｂに挿通可能となっている。このストッパ１１３は、ベルト１１が挿通孔１２ｂの縁に係止してベルト１１の抜けを防止する働きをする。
【００２７】
４．ベルト１１と操作部１２との組付け方法
操作部１２の指掛け部１２０側から挿通孔１２ｂにベルト１１の先端側から挿入することにより、ベルト１１を操作部１２に組み付ける。これにより、ベルト１１と操作部１２とから構成されるラックベルト１０が製造される。
【００２８】
５．遊び方
先ず、発射装置本体４０のフォーク４２，４２をコマ玩具３０の弧状溝３２ａ，３２ａに挿入することによって発射装置本体４０にコマ玩具３０をセットする。この状態で、ラックベルト１０を開口４５側から差し込んで、強く手前側に引いて円板４１を回転させる。これによって、コマ玩具３０も一緒に回転する。そして、ラックベルト１０の引きを止めると、歯４４ｂに爪部材４７の爪４７ａが係合して円板４１の回転が止まる。一方で、コマ玩具３０は慣性力によって継続して回転しようとする。このとき、各フォーク４２の側縁４２ｂは傾斜面となっているため、コマ玩具３０の突起３２ｂはこの側縁４２ｂに摺接しつつ下方に移動し、遂には、フォーク４２，４２とコマ玩具３０との係合が解除され、コマ玩具３０は発射される。
なお、この遊びにあたり、ユーザはラックベルト１０を発射装置本体４０の開口４５から差し込んで手前に引くことが必要となるが、初期又は引く過程で、手首の角度を図７及び図８との間で自由に変更することができる。
【００２９】
（発明の変形例）
以上、本発明の実施形態について説明したが、本発明は、かかる実施形態に限定されず、その要旨を逸脱しない範囲で種々変形可能である。
【００３０】
例えば、上記実施形態では、平板状のベルト主体部１１ａを有するラックベルト１０について説明したが、断面が三角形や丸棒状のラックベルト１０にも適用できる。そのうち、特に有効なのは、引く際にベルト主体部１１ａ自体の角度を変更できない構造の場合であるが、引く際にベルト主体部１１ａ自体の角度を変更できるラックベルト１０の場合に、本発明の構造を併せて適用してもよいことは勿論である。
【００３１】
また、上記実施形態では、ベルト１１と操作部１２とが別体でそれぞれが一体成形されたものについて説明したが、それ以外のものにも適用できることは言うまでもない。
【符号の説明】
【００３２】
１    コマ玩具セット
１０   ラックベルト
１１   ベルト
１１ａ ベルト主体部
１１ｂ ベルト側連結部
１２   操作部
１２ａ 操作部側連結部
１２ｂ 挿通孔
１２ｃ 座繰り穴
３０   コマ玩具
４０   発射装置本体
４４ｂ 歯
１１０ ネック部
１１１ ヘッド部
１１３ ストッパ
１１５ ラック歯
【図１】
2017056065.tif 000003
【図２】
2017056065.tif 000004
【図４】
2017056065.tif 000005
【図５】
2017056065.tif 000006
【図６】
2017056065.tif 000007
【図７】
2017056065.tif 000008
【図８】
2017056065.tif 000009
【図３】
2017056065.tif 000010